(57)【特許請求の範囲】
【請求項１】
ドレープ本体の幅方向中央部に患者の患部を露出可能とする開口部を備え、この開口部の両側に、一側部をドレープ本体に固定するとともに他側部をドレープ本体とは分離した自由端とした一対のフラップを設け、このフラップを袋状に折り畳むことにより、開口部の両側に一対のポケットを形成可能とした繰り返しの使用が可能なサージカルドレープにおいて、上記一対のフラップのドレープ本体に固定した一側部には、この一側部の一端及び他端に閂止めを施すとともに、上記ドレープ本体の少なくとも該閂止めに対応する位置を、多層構造とするとともに、閂止めは、フラップの一側部のドレープ本体の頭部側に位置する一端側を、ドレープ本体の頭部側から足部側方向に、ドレープ本体の中心線側から側縁側に向かって傾斜するよう形成するとともに、フラップの一側部のドレープ本体の足部側に位置する他端側を、ドレープ本体の足部側から頭部側方向に、ドレープ本体の中心線側から側縁側に向かって傾斜するよう形成したことを特徴とするサージカルドレープ。
【請求項２】
ドレープ本体の幅方向中央部に患者の患部を露出可能とする開口部を備え、この開口部の両側に、一側部をドレープ本体に固定するとともに他側部をドレープ本体とは分離した自由端とした一対のフラップを設け、このフラップを袋状に折り畳むことにより、開口部の両側に一対のポケットを形成可能とした繰り返しの使用が可能なサージカルドレープにおいて、上記一対のフラップのドレープ本体に固定した一側部には、この一側部の一端及び他端に閂止めを施すとともに、上記ドレープ本体の少なくとも該閂止めに対応する位置を、多層構造とするとともに、開口部は、ドレープ本体の足部側に、一対のフラップの一側部に連続して突出片を設けるとともに、ドレープ本体の頭部側から足部側方向に、ドレープ本体の中心線側から側縁側に向かって傾斜した閂止めを形成したことを特徴とするサージカルドレープ。
【請求項３】
フラップは、袋状に折り畳むとともに着脱可能な係合具にて係合固定することにより、ポケットを形成可能としたことを特徴とする請求項１、または２のサージカルドレープ。
【発明の詳細な説明】
【技術分野】
【０００１】
本発明は、手術の際に患者に被覆するサージカルドレープに関するものである。
【背景技術】
【０００２】
従来より、特許文献１に示す如く開口部の両側に一対のフラップを設け、このフラップを袋状に形成することにより開口部の両側にポケットを形成することができる、繰り返し使用可能なサージカルドレープが既に知られている。
【０００３】
この一対のフラップは、その一側部を開口部側に接続固定するとともに他側部を自由端として形成している。そして自由端側にスナップを複数個設け、これらのスナップを適宜の位置に留めることにより、開口部の両側に袋状のポケットを形成可能とするものである。そして、上記の如く形成したポケットに、開口部から流出した体液等を流入可能とするとともに、手術中に使用する器具を一時的に保持することを目的としている。
【先行技術文献】
【特許文献】
【０００４】
【特許文献１】特開２０１２−１３０３８７号公報
【発明の開示】
【発明が解決しようとする課題】
【０００５】
しかしながら、繰り返しの使用が可能なサージカルドレープは使用後に毎回洗浄滅菌を行う必要がある。そしてこの洗浄滅菌時には、フラップとドレープ本体との接続部分であるフラップの一側部に大きな負荷がかかるものとなる。そのため、度重なる洗浄滅菌作業により、この一側部を縫い付けている糸がほつれたり、ドレープ本体の布地が破れたりする等の事態が生じ易いものとなっていた。よって、破損によって繰り返しの使用回数が困難なものとなり、新たなドレープを用意しなければならないか、あるいは破損部分を補修しなければならない等の事態が生じ、コストが高くつくものとなっていた。
【０００６】
そこで、本発明は上述の如き課題を解決しようとするものであって、繰り返しの洗浄滅菌を行った場合でもフラップとドレープ本体との接続部分が破損しにくく、繰り返しの使用回数を良好に保持することのできるサージカルドレープを得ようとするものである。
【課題を解決するための手段】
【０００７】
本願の第１、２発明は上述の如き課題を解決するものであって、ドレープ本体の幅方向中央部に患者の患部を露出可能とする開口部を備え、この開口部の両側に、一側部をドレープ本体に固定するとともに他側部をドレープ本体とは分離した自由端とした一対のフラップを設け、このフラップを袋状に折り畳むことにより開口部の両側に一対のポケットを形成可能とした繰り返しの使用が可能なサージカルドレープを前提とするものである。
【０００８】
そして、上記一対のフラップのドレープ本体に固定した一側部には、一端及び他端に閂止めを施すとともに、上記ドレープ本体の少なくとも該閂止めに対応する位置を、多層構造としたものである。
【０００９】
このようにフラップのドレープ本体に固定した一側部の一端及び他端に閂止めを施すことにより、フラップとドレープ本体との接続固定を強固なものとすることができる。また、ドレープ本体の該閂止めに対応する位置を多層構造とすることにより、ドレープ本体
の構造が強化されるため、洗浄滅菌時にフラップとの縫い付け部分に負荷がかかってドレープ本体が破損するという事態を防ぐことができる。
【００１０】
また本願の第１発明では閂止めについて、フラップの一側部のドレープ本体の頭部側に位置する一端側を、ドレープ本体の頭部側から足部側方向に、ドレープ本体の中心線側から側縁側に向かって傾斜するよう形成するとともに、フラップの一側部のドレープ本体の足部側に位置する他端側を、ドレープ本体の足部側から頭部側方向に、ドレープ本体の中心線側から側縁側に向かって傾斜するよう形成したものである。
【００１１】
また本願の第２発明では開口部について、ドレープ本体の足部側に、一対のフラップの一側部に連続して突出片を設けるとともに、ドレープ本体の頭部側から足部側方向に、ドレープ本体の中心線側から側縁側に向かって傾斜した閂止めを形成したものである。
【００１２】
ここで、手術で使用したサージカルドレープを再利用するために行う洗浄滅菌時には、特にフラップの一側部の一端及び他端に最も負荷がかかる。そのため、この一側部及び他側部の一端及び他端に施した閂止めの部分で最も負荷を受けることになる。しかしながら、この閂止めの一部、特に一点に集中して負荷を受けた場合には、その閂止めの一点においてフラップやドレープ本体が破損するおそれがあった。
【００１３】
そこで、洗浄滅菌時に最も負荷がかかる上記傾斜方向に閂止めを形成することにより、洗浄滅菌時の閂止めにかかる負荷を、閂止め全体、即ち一点集中ではなく線で受けることが可能となる。従って、フラップの閂止め部分への負荷が一点に集中することなく分散されるため、この部分でのフラップやドレープの破損を、より効果的に防止することが可能となる。
【００１４】
また、フラップは、袋状に折り畳むとともに着脱可能な係合具にて係合固定することにより、ポケットを形成可能としたものであっても良い。
【発明の効果】
【００１５】
本発明は上述の如く構成したものであって、フラップのドレープ本体に固定した一側部の一端及び他端に閂止めを施すことにより、フラップとドレープ本体との接続固定を強固なものとすることができる。また、ドレープ本体の該閂止めに対応する位置を、多層構造とすることによりドレープ本体の構造が強化されるものとなる。
【００１６】
そのため、洗浄滅菌時において、ドレープ本体とフラップとの縫い付け部分に負荷がかかってドレープ本体が破損するという事態を防ぐことが可能となる。従って、度重なる洗浄滅菌作業を行った場合でも、ドレープ本体やフラップを破損しにくいものとなり、繰り返しの使用回数を良好に保持して破損により生じるコストの増加を防ぐことが可能となる。
【図面の簡単な説明】
【００１７】
【図１】本発明の実施例１を示す平面図。
【図２】図１の部分拡大平面図。
【図３】図１においてフラップの一側部の一端側を示す部分拡大平面図。
【図４】図１においてフラップの一側部の他端側を示す部分拡大平面図。
【図５】図２のＡ−Ａ線及び図６のＢ−Ｂ線断面図。
【図６】本発明の実施例２を示す平面図。
【図７】図６の部分拡大平面図。
【図８】図７のフラップを折り畳んでポケットを形成した状態を示す部分拡大平面図。
【図９】図６においてフラップの一側部の一端側を示す部分拡大平面図。
【図１０】図６においてフラップの一側部の他端側を示す部分拡大平面図。
【図１１】他の異なる実施例の閂止めを示す部分拡大平面図。
【実施例１】
【００１８】
本実施例のサージカルドレープは、開腹手術、腹腔鏡手術、開胸手術、胸腔鏡手術、小切開手術等に使用するものであって、図１に示す如く、ドレープ本体(1)に開口部(2)を形成したものである。尚、本実施例では、サージカルドレープの患者の頭部を被覆する側を上方とするとともに、患者の足部を被覆する側を下方としている。
【００１９】
本実施例のサージカルドレープについて以下に詳細に説明すると、(１)はドレープ本体であって、平布にて形成したものである。このように平布にて形成することにより、袋状の構成とは異なり汚れがたまることなく、洗濯を簡易に行うことができるとともに洗濯後の点検が容易となる。
【００２０】
また、本実施例のドレープ本体(1)はポリエステル長繊維製であって、通気性及び撥水性を有している部分と親水性でありながら防水性を有している部分とから成り、洗浄滅菌することによって再使用可能なものである。また、上記ポリエステル長繊維は不織布の場合と比較して燃えにくく、手術で使用する電気メス等の火花によりサージカルドレープに穴が開いて燃え広がる危険性が少ないものである。
【００２１】
そして、上記ドレープ本体(1)の中央部には、図１に示す如く長方形の開口部(2)を開口形成しており、この開口部(2)は、患者の腹部の術野を露出可能とするものである。また、この開口部(2)の両側にはフラップ(3)を配置している。
【００２２】
本実施例のフラップ(3)について図１〜５にて詳細に説明すると、本実施例ではドレープ本体(1)に形成した開口部(2)の外周に、ドレープ本体(1)とは別布にて形成した略長方形状の外周布(4)を設けている。この外周布(4)は、開口部(2)側である内周(14)側をドレープ本体(1)に縫い付け固定するとともに、外周(15)側を自由端としている。
【００２３】
そして本実施例では、外周布(4)をドレープ本体(1)に固定した開口部(2)両側の図１、２の一点鎖線にて示す部分を、フラップ(3)の一側部(5)とするとともに、この一側部(5)からドレープ本体(1)の側縁(6)側に伸びる略長方形状の自由端の部分をフラップ(3)の他側部(7)としている。これにより、開口部(2)の両側に一対のフラップ(3)が配置された状態となる。
【００２４】
また図２〜４に示す如く、上記の如く形成したフラップ(3)の一側部(5)の一端(8)及び他端(10)には、閂止め(9)(11)を施している。このように、ドレープ本体(1)の一側部(5)の一端(8)及び他端(10)に閂止め(9)(11)を形成することにより、ドレープ本体(1)とフラップ(3)との接続部分を強固なものとすることができる。
【００２５】
またこの閂止め(9)(11)のうち、ドレープ本体(1)の頭部側(17)であるフラップ(3)の一側部(5)の一端(8)側に形成した閂止め(9)は、図２、３に示す如くドレープ本体(1)の上方から下方に向かって、図２、３の二点鎖線に示すドレープ本体(1)の中心線(12)側から側縁(6)側にかけて傾斜するよう形成している。
【００２６】
一方、ドレープ本体(1)の足部側(18)であるフラップ(3)の一側部(5)の他端(10)側に形成した閂止め(11)は、一端(8)側とは逆に、図２、４に示す如くドレープ本体(1)の下方から上方に、ドレープ本体(1)の中心線(12)側から側縁(6)側に向かって傾斜するよう形成している。
【００２７】
ここで洗浄滅菌時において、本実施例のフラップ(3)は自由端である他側部(7)側の角部(16)が図２に示す如く開口部(2)側に折れ曲がり、一側部(5)の一端(8)及び他端(10)に強い負荷がかかるものとなる。そこで、このフラップ(3)の開口部(2)側への折れ曲がりの方向に閂止め(9)(11)を形成することにより、洗浄滅菌時の閂止め(9)(11)における負荷を、閂止め(9)(11)全体、即ち点ではなく線で受けることが可能となる。
【００２８】
そのため、本実施例では上記の傾斜方向に閂止め(9)(11)を形成することにより、フラップ(3)は閂止め(9)(11)の方向に沿って折れ曲がるものとなる。従って、フラップ(3)に係る負荷を閂止め(9)(11)全体で受け止めることが可能となることから、フラップ(3)やドレープ本体(1)への負荷が軽減され、フラップ(3)やドレープ本体(1)の破損を、より効果的に防止することが可能となる。
【００２９】
また、ドレープ本体(1)には、上記閂止め(9)(11)の形成位置に対応する位置に当て布(19)を設け、図５に示す如く３重構造としている。このように、ドレープ本体(1)の該閂止め(9)(11)に対応する位置を三重構造とすることにより、ドレープ本体(1)の構造が強化されるため、フラップ(3)との縫い付け部分に負荷がかかってドレープ本体(1)が破損するという事態を防ぐことができる。従って、度重なる洗浄滅菌作業を行った場合でも破損しにくいサージカルドレープを得ることが可能となる。
【００３０】
またこのフラップ(3)には、図２に示す如く複数の着脱可能な係合具(13)、即ち本実施例ではスナップを設けている。そして、このフラップ(3)を袋状に折り畳むとともに、適宜の場所にて係合具(13)どうしを係合固定することにより、開口部(2)の両側に一対のポケット(図示せず。)を形成することが可能となる。
【００３１】
このように開口部(2)の両側にポケットを形成することにより、この開口部(2)から流出した洗浄液、血液、体液を上記ポケットで受け止めることが可能となるため、床面への洗浄液、血液、体液の流出を抑えて汚染を防止することができる。また、手術中に使用する器械を一時的にポケット内に挿入して保持することができるため、作業の効率化を図ることができる。そして、手術後に係合具(13)の係合を解除してポケットを展開することにより、フラップ(3)を平坦な状態に復元することができる。そのため、この状態で洗浄滅菌を行うことにより、次回の使用が可能となる。
【実施例２】
【００３２】
上記実施例１のサージカルドレープでは、開口部(2)の両側に一対のフラップ(21)を形成したものであるが、本実施例２のサージカルドレープは、開口部の両側に一対のフラップ(21)を形成するとともに、開口部の下方に突出片(22)を設けたものである。
【００３３】
本実施例２のサージカルドレープについて図５、６〜１０にて以下に詳細に説明すると、本実施例２のサージカルドレープは、外科の腹会陰式直腸切除術、低位前方切除術、Ｓ状結腸切除術、腹腔鏡補助下結腸切除術、泌尿器科の膀胱全摘出術、回腸導管造設術、前立腺全摘出術、産婦人科の腹式帝王切開術、腹式単純子宮全摘出術、広汎性子宮全摘出術、腹腔鏡下婦人科手術等に使用するものであって、図６に示す如く、ドレープ本体(20)に第１開口部(23)及び第２開口部(24)を形成したものである。尚、本実施例では、サージカルドレープの患者の頭部を被覆する側を上方とするとともに、患者の足部を被覆する側を下方としている。
【００３４】
本実施例のサージカルドレープについて以下に詳細に説明すると、(20)はドレープ本体であって、平布にて形成したものである。このように平布にて形成することにより、袋状の構成とは異なり汚れがたまることなく、洗濯を簡易に行うことができるとともに洗濯後の点検が容易となる。
【００３５】
また、本実施例のドレープ本体(20)はポリエステル長繊維製であって、通気性及び撥水性を有している部分と親水性でありながら防水性を有している部分とから成り、洗浄滅菌することによって再使用可能なものである。また、上記ポリエステル長繊維は不織布の場合と比較して燃えにくく、手術で使用する電気メス等の火花によりサージカルドレープに穴が開いて燃え広がる危険性が少ないものである。
【００３６】
そして、上記ドレープ本体(20)の中央部には、図６に示す如く長方形の第１開口部(23)を開口形成しており、この第１開口部(23)は、患者の腹部の術野を露出可能とするものである。また、この第１開口部(23)とは間隔を介した下方には、第２開口部(24)を開口形成している。この第２開口部(24)は、患者の腹部の術野に第１開口部(23)を配置した状態で、患者の術野となる陰部及び／又は肛門部に配置して該術野を露出可能としている。
【００３７】
そして図６に示す如く、第１開口部(23)の両側にはフラップ(21)を配置している。本実施例のフラップ(21)について詳細に説明すると、本実施例ではドレープ本体(20)に形成した第１開口部(23)の外周に、ドレープ本体(20)とは別布にて形成した略長方形状の外周布(25)を設けている。この外周布(25)は、第１開口部(23)側となる内周(26)側をドレープ本体(20)に縫い付け固定するとともに、外周(27)側を自由端としている。
【００３８】
そのため本実施例では、外周布(25)において第１開口部(23)をドレープ本体(20)に固定した図６、７の一点鎖線で示す部分をフラップ(21)の一側部(28)とするとともに、この一側部(28)からドレープ本体(20)の側縁(30)側に伸びる略長方形状の自由端の部分をフラップ(21)の他側部(31)としている。これにより、第１開口部(23)の両側に一対のフラップ(21)が形成されるものとなる。また、上記第１開口部(23)の下方には、上記一対のフラップ(21)の一側部(28)に連続して、外周布(25)の一部を構成する突出片(22)を設けている。尚、この突出片(22)には、外周布(25)とは別個に形成するとともに、第１開口部(23)及び第２開口部(24)を被覆可能とする被覆布(図示せず。)を接続可能としている。
【００３９】
また、上記の如く形成したフラップ(21)の一側部(28)の一端(32)及び他端(33)には、閂止め(34)(42)を施している。このようにフラップ(21)の一側部(28)の一端(32)及び他端(33)に閂止め(34)(42)を形成することにより、ドレープ本体(20)とのフラップ(21)との接続部分を強固なものとすることができる。また、この一端(32)及び他端(33)の閂止は、図７、９、１０に示す如く、それぞれドレープ本体(20)の頭部側(40)である上方から足部側(41)である下方に向けて、ドレープ本体(20)の図７、９、１０の二点鎖線に示す中心線(35)側からドレープ本体(20)の側縁(30)側に向かって傾斜するよう形成している。
【００４０】
ここで洗浄滅菌時において、本実施例のフラップ(21)は一側部(28)の一端(32)側の角部(36)が図６に示す如く開口部側に折れ曲がり、強い負荷がかかるものとなる。また、フラップ(21)の他端(33)側も開口部側に折れ曲がるとともに、この開口部の下方に形成した突出片(22)も開口部側に折れ曲がるものとなるため、フラップ(21)の他端(33)側と突出片(22)とが同時に折れ曲がった際に最も強い負荷がかかるものとなる。
【００４１】
そこで、上記の如くフラップ(21)の移動により負荷を最も受けやすい上記傾斜方向に閂止め(34)(42)を形成することにより、洗浄滅菌時の閂止め(34)(42)における負荷を、閂止め(34)(42)全体、即ち点ではなく線で受けることが可能となる。従って、フラップ(21)の閂止め(34)(42)部分への負荷が軽減され、この部分でのフラップ(21)やドレープの破損を、より効果的に防止することが可能となる。
【００４２】
また、本実施例では上記の如く、フラップ(21)の一側部(28)の一端(32)及び他端(33)にそれぞれ１箇所ずつ閂止め(34)(42)を施しているが、他の実施例ではこれに限らず、図１１に示す如くフラップ(21)の一側部(28)の一端(32)及び他端(33)にそれぞれ２箇所ずつ閂止め(34)(42)を施しても良い。
【００４３】
また、ドレープ本体(20)には、上記閂止め(34)(42)の形成位置に対応する位置に当て布(43)を設け、図５に示す如く３重構造としている。このように、ドレープ本体(20)の該閂止め(34)(42)に対応する位置を三重構造とすることにより、ドレープ本体(20)の構造が強化されるため、フラップ(21)との縫い付け部分に負荷がかかってドレープ本体(20)が破損するという事態を防ぐことが可能となる。従って、度重なる洗浄滅菌作業を行った場合でも破損しにくいものとすることができるため、繰り返しの使用回数が減少するという事態が生じにくいサージカルドレープを得ることが可能となる。
【００４４】
またこのフラップ(21)には、図７に示す如く複数の着脱可能な係合具(37)、即ち本実施例ではスナップを設けている。そして、このフラップ(21)を袋状に折り畳むとともに、適宜の場所にて係合具(37)どうしを係合固定することにより、図８に示す如く第１開口部(23)の両側に一対のポケット(38)を形成することができる。
【００４５】
このように第１開口部(23)の両側にポケット(38)を形成することにより、第１開口部(23)から流出した洗浄液、血液、体液を上記ポケット(38)で受け止めることが可能となるため、床面への洗浄液、血液、体液の流出を抑えて汚染を防止することができる。また、手術中に使用する器械を一時的にポケット(38)内に挿入して保持することができるため、作業の効率化を図ることができる。そして、手術後に係合具(37)の係合を解除してポケット(38)を展開することにより、フラップ(21)を平坦な状態に復元することができる。そのため、この状態で洗浄滅菌を行うことにより、次回の使用が可能となる。
【００４６】
また、上記の如く形成した実施例1、２のサージカルドレープについて耐久性試験を行った。この試験は、洗濯、乾燥、滅菌を５０回繰り返した後、閂止め(9)(11)(34)(42)の部分で破損が生じるか否かを目視にて確認するものである。尚、洗濯、乾燥、滅菌の５０回という回数は、繰り返しの使用が可能なサージカルドレープを実際に使用する際に推奨されている回数である。また、この耐久性試験での洗濯及び乾燥は、業務用洗濯機、及び業務用乾燥機を使用し、滅菌は高圧蒸気滅菌器を使用した。また、滅菌の際にはサージカルドレープを包装材で包んだ。
【００４７】
上記耐久性試験を行った結果、上記実施例１、２のサージカルドレープの閂止め(9)(11)(34)(42)部分に破損は全く見られなかった。このことから、本実施例のサージカルドレープは、度重なる洗浄滅菌作業を行った場合でも、ドレープ本体(1)やフラップ(3)(21)を破損しにくいものとなり、繰り返しの使用回数を良好に保持して破損により生じるコストの増加を防ぐことができることが実証された。
【符号の説明】
【００４８】
１、２０    ドレープ本体
２          開口部
３、２１    フラップ
５、２８    一側部
６、３０    側縁
７、３１    他側部
８、３２    一端
１０、３３  他端
９、１１、３４、４２  閂止め
１２、３５  中心線
１３、３７  係合具
１７、４０  頭部側
１８、４１  足部側
２３        第１開口部
３８        ポケット
【図１】
0006279456.tif 000002
【図２】
0006279456.tif 000003
【図３】
0006279456.tif 000004
【図４】
0006279456.tif 000005
【図５】
0006279456.tif 000006
【図６】
0006279456.tif 000007
【図７】
0006279456.tif 000008
【図８】
0006279456.tif 000009
【図９】
0006279456.tif 000010
【図１０】
0006279456.tif 000011
【図１１】
0006279456.tif 000012